(57)【要約】【課題】本発明は、装着時の被検体の痛みを軽減することができる生体光計測装置のプローブ装置を得ることを目的とするものである。【解決手段】ホルダ１には、複数個のプローブ２が装着されている。各プローブ２は、ソケット３と、ソケット３により保持された光ファイバ４とを有している。各光ファイバ４の先端部４ａは、ソケット３から突出して被検体に当接される。少なくとも１個のプローブ２の光ファイバ４の先端部４ａには、ゴム製のパッド６が装着されている。パッド６の中央には、光ファイバ４の先端部４ａが挿入される光ファイバ挿入孔６ａが設けられている。【選択図】図１
2008307318.tif 000002
【特許請求の範囲】
【請求項１】
複数のソケット装着孔を有し、被検体に装着されるホルダ、
上記ソケット装着孔に挿入され装着されるソケットと、上記ソケットにより保持され、先端部が上記ソケットから突出して上記被検体に当接される光ファイバとをそれぞれ有する複数個のプローブ、及び
上記光ファイバの先端部が挿入される光ファイバ挿入孔を有し、少なくとも１個の上記プローブの上記光ファイバの先端部に装着される少なくとも１個のパッド
を備えていることを特徴とする生体光計測装置のプローブ装置。
【請求項２】
上記光ファイバの先端部の軸方向に直角な方向についての上記パッドの外形寸法は、上記ソケット装着孔の径よりも小さくなっており、上記光ファイバの先端部に上記パッドを装着したままで上記プローブを上記ソケット装着孔から引き抜き可能となっていることを特徴とする請求項１記載の生体光計測装置のプローブ装置。
【請求項３】
上記パッドの上記被検体に当接される側の面には、溝が設けられていることを特徴とする請求項１又は請求項２に記載の生体光計測装置のプローブ装置。
【請求項４】
上記パッドには、上記被検体に当接されるブラシが設けられていることを特徴とする請求項１から請求項３までのいずれか１項に記載の生体光計測装置のプローブ装置。
【発明の詳細な説明】
【技術分野】
【０００１】
この発明は、被検体に装着され、被検体に対して光を照射するとともに被検体から戻る光を検出する生体光計測装置のプローブ装置に関するものである。
【背景技術】
【０００２】
従来の生体光計測装置のプローブ装置では、プローブホルダの孔に固定部材が挿入され装着されている。固定部材には、照射用又は受光用の光ファイバの先端部が保持されている。光ファイバの先端部は、固定部材から突出しており、被検体の表面に当接される（例えば、特許文献１参照）。
【０００３】
【特許文献１】特開２００４−９７５９０号公報
【発明の開示】
【発明が解決しようとする課題】
【０００４】
上記のような従来のプローブ装置では、光ファイバの先端面が研磨加工されており、またプローブホルダを被検体に装着したときには光ファイバの先端面がばねにより被検体に押し付けられるため、検査課題を実施しながらヘモグロビン濃度の変化量を計測する場合など、プローブホルダの装着時間が長くなると、被検体に痛みを感じさせることがあった。
【０００５】
この発明は、上記のような課題を解決するためになされたものであり、装着時の被検体の痛みを軽減することができる生体光計測装置のプローブ装置を得ることを目的とする。
【課題を解決するための手段】
【０００６】
この発明に係る生体光計測装置のプローブ装置は、複数のソケット装着孔を有し、被検体に装着されるホルダ、ソケット装着孔に挿入され装着されるソケットと、ソケットにより保持され、先端部がソケットから突出して被検体に当接される光ファイバとをそれぞれ有する複数個のプローブ、及び光ファイバの先端部が挿入される光ファイバ挿入孔を有し、少なくとも１個のプローブの光ファイバの先端部に装着される少なくとも１個のパッドを備えている。
【発明の効果】
【０００７】
この発明の生体光計測装置のプローブ装置は、少なくとも１個のプローブの光ファイバの先端部にパッドを装着したので、被検体に対する圧力が分散され、装着時の被検体の痛みを軽減することができる。
【発明を実施するための最良の形態】
【０００８】
以下、この発明を実施するための最良の形態について、図面を参照して説明する。
実施の形態１．
図１はこの発明の実施の形態１による生体光計測装置のプローブ装置の要部断面図、図２は図１のプローブ装置を示す斜視図、図３は図２のプローブ装置を斜め下から見た斜視図、図４は図２のプローブ装置を示す分解斜視図である。
【０００９】
ホルダ１は、被検体の頭部に装着される。ホルダ１には、複数（図では１つのみ示す）のソケット装着孔１ａが設けられている。ソケット装着孔１ａは、所定のピッチ（例えば１５ｍｍ又は３０ｍｍ）でマトリクス状に配置されている。
【００１０】
ホルダ１には、複数個のプローブ２が装着されている。各プローブ２は、ソケット装着孔１ａに挿入され装着されたソケット３と、ソケット３により保持された光ファイバ４と、ホルダ１を被検体に装着したときに光ファイバ４の先端部４ａを被検体側へ付勢するばね５とを有している。ソケット３は、ソケット装着孔１ａに挿入されると、着脱方向への移動がロック機構（図示せず）により規制される。各光ファイバ４の先端部４ａは、ソケット３から突出して被検体に当接される。
【００１１】
少なくとも１個のプローブ２の光ファイバ４の先端部４ａには、ゴム（例えばシリコンゴム）製の円筒状のパッド（キャップ）６が装着されている。パッド６の中央には、光ファイバ４の先端部４ａが挿入される光ファイバ挿入孔６ａが設けられている。パッド６は、光ファイバ４の先端面がパッド６の被検体側の面と面一になるように先端部４ａに装着されている。
【００１２】
パッド６の被検体に当接する面には、球面状の丸みが付けられている。また、光ファイバ４の先端部４ａの軸方向に直角な方向についてのパッド６の外形寸法、即ちパッド６の外径は、ソケット装着孔１ａの径よりも小さくなっている。これにより、光ファイバ４の先端部４ａにパッド６を装着したままで、プローブ２をソケット装着孔１ａから引き抜くことが可能となっている。
【００１３】
プローブ２には、被検体に光を照射するための複数の照射プローブと、被検体を通過した光を検出する複数の検出プローブとが含まれている。照射プローブ及び検出プローブは、交互に配置されている。
【００１４】
計測装置本体（図示せず）は、可視から赤外領域の波長の光を発生し照射プローブに送る。照射プローブから照射された光の一部は、照射プローブと検出プローブとの間に位置する計測点で大脳皮質を透過し検出プローブに入射する。このとき、検出プローブでの検出光量は、計測点のヘモグロビン濃度に応じて変化する。計測装置本体は、検出プローブでの検出光量を計測し、その計測結果から各計測点における血液中のヘモグロビン濃度の変化量を計測し、計測結果に関する情報をモニタに表示する。
【００１５】
このような生体光計測装置のプローブ装置では、少なくとも１個のプローブ２の光ファイバ４の先端部４ａにパッド６を装着したので、被検体の頭皮に対する圧力が分散され、装着時の被検体の痛みを軽減することができる。
【００１６】
また、パッド６を光ファイバ４に装着したままで、プローブ２をソケット装着孔１ａから引き抜くことが可能であるため、ホルダ１へのプローブ２の着脱の度にパッド６を着脱する必要がなく、作業効率が向上する。
【００１７】
なお、パッド６は、全てのプローブ２に装着してもよいが、例えば頭髪のない額部分に位置するプローブ２だけに装着するなど、必要なプローブ２のみに装着してもよい。
また、全てのプローブ２に同じパッド６を装着する必要はなく、プローブ２の位置に応じて異なる柔らかさのパッド６を装着するなどしてもよい。
さらに、光ファイバ挿入孔６ａの外周にスリットを設け、光ファイバ挿入孔６ａの径方向外側からスリットを通して光ファイバ４の先端部４ａを光ファイバ挿入孔６ａに装着するようにしてもよい。
【００１８】
実施の形態２．
次に、図５はこの発明の実施の形態２による生体光計測装置のプローブ装置の要部断面図、図６は図５のパッド７を示す底面図である。少なくとも１個のプローブ２の光ファイバ４の先端部４ａには、ゴム（例えばシリコンゴム）製の円筒状のパッド７が装着されている。パッド７の中央には、光ファイバ４の先端部４ａが挿入される光ファイバ挿入孔７ａが設けられている。
【００１９】
パッド７の外径は、ソケット装着孔１ａの径よりも小さくなっている。パッド７の被検体に当接される側の面には、１つ又は複数の溝７ｂが設けられている。この例では、パッド７の中央で交差する十字状に溝７ｂが設けられている。他の構成は、実施の形態１と同様である。
【００２０】
このようなプローブ装置では、パッド７に溝７ｂを設けたので、頭髪のある部分に位置するプローブ２に装着した場合に、頭髪を避け易くすることができる。
【００２１】
実施の形態３．
次に、図７はこの発明の実施の形態３による生体光計測装置のプローブ装置の要部断面図、図８は図７のパッド８を示す底面図である。少なくとも１個のプローブ２の光ファイバ４の先端部４ａには、ゴム（例えばシリコンゴム）製の円筒状のパッド８が装着されている。パッド８の中央には、光ファイバ４の先端部４ａが挿入される光ファイバ挿入孔８ａが設けられている。
【００２２】
パッド８の外径は、ソケット装着孔１ａの径よりも小さくなっている。パッド８の被検体に当接される側の面には、被検体に当接されるブラシ９が植設されている。ブラシ９は、光ファイバ挿入孔８ａの周囲に円環状に設けられている。他の構成は、実施の形態１と同様である。
【００２３】
このようなプローブ装置では、パッド８にブラシ９を設けたので、頭髪のある部分に位置するプローブ２に装着した場合に、頭髪を避け易くすることができる。
【図面の簡単な説明】
【００２４】
【図１】この発明の実施の形態１による生体光計測装置のプローブ装置の要部断面図である。
【図２】図１のプローブ装置を示す斜視図である。
【図３】図２のプローブ装置を斜め下から見た斜視図である。
【図４】図２のプローブ装置を示す分解斜視図である。
【図５】この発明の実施の形態２による生体光計測装置のプローブ装置の要部断面図である。
【図６】図５のパッドを示す底面図である。
【図７】この発明の実施の形態３による生体光計測装置のプローブ装置の要部断面図である。
【図８】図７のパッドを示す底面図である。
【符号の説明】
【００２５】
１  ホルダ、１ａ  ソケット装着孔、２  プローブ、３  ソケット、４  光ファイバ、４ａ  先端部、６，７，８  パッド、６ａ，７ａ，８ａ  光ファイバ挿入孔、７ｂ  溝、９  ブラシ。
【図１】
2008307318.tif 000003
【図２】
2008307318.tif 000004
【図３】
2008307318.tif 000005
【図４】
2008307318.tif 000006
【図５】
2008307318.tif 000007
【図６】
2008307318.tif 000008
【図７】
2008307318.tif 000009
【図８】
2008307318.tif 000010